(57)【特許請求の範囲】
【請求項１】
流入口、流出口および弁体を備えた水栓本体が設置された設置部を有し、壁または床あるいは取付用パネルに取付けられるハウジング本体と、このハウジング本体の前面を被覆するカバープレートと、前記流出口から送出可能な水の流量を調整する流量調整部材と、前記流入口を介して前記水栓本体と配管とを接続する接続部と、前記流出口に接続され、ホースの上流端に設けられた継手部材が着脱自在である継手部とを備え、
前記設置部は、前記壁または床あるいは取付用パネルを貫通して形成された丸穴に挿入可能な大きさを有し、
更に、前記ハウジング本体は、前記設置部が前記丸穴に挿入された状態で前記ハウジング本体を前記壁または床あるいは取付用パネルの前面側から取付けるための取付枠部を有する一方、
前記取付枠部は、前記設置部と一体に形成されており、
しかも取付枠部にハウジング本体固定用のねじ挿通孔を設けるとともに、
前記設置部を前記丸穴に挿入し、前記壁または床あるいは取付用パネルの前面における前記丸穴周縁部に、前記取付枠部の後面部を当接させた状態で、前記ねじ挿通孔に挿通され、前記壁または床あるいは取付用パネルに締付けることによって、前記ハウジング本体を前記壁または床あるいは取付用パネルの前面に取付けるねじを有する水道用コンセントであって、
前記丸穴の円弧形状に対応する形状を下面に有し、かつ前記ハウジング本体が前記設置部を介して前記丸穴に挿入されるときに前記下面が前記丸穴の下側内周面に摺接する形で前記ハウジング本体を案内する湾曲形状の案内片を、前記取付枠部の下辺部の中央で、前記設置部の背面部の側に突出して設けてあることを特徴とする水道用コンセント。
【請求項２】
前記継手部は、前記カバープレートから前面側に突出しているとともに、前記流出口の中心軸のまわりに３６０°回転可能な状態で前記流出口に接続されている請求項１に記載の水道用コンセント。
【請求項３】
前記設置部は、上方開口を有する上面部と、下方開口を有する下面部と、対称形状に形成された一対の湾曲面を有する左右側面部と、背面部とで構成され、前記左右側面部、前記上面部および前記下面部によって形成される前面開口を有する請求項１または請求項２に記載の水道用コンセント。
【発明の詳細な説明】
【０００１】
【発明の属する技術分野】
この発明は、例えば台所の流し台に置かれた浄水器、食器洗い機、湯沸器などの機器の給水ホースや、洗濯機の給水ホースへ給水できる以外に、例えば、一戸建て木造住宅の外壁と内壁間に位置する配管内の水を、散水、園芸、洗車等の用途に用いるノズルの給水ホースに給水できる、施工が容易な水道用コンセントに関するものである。
【０００２】
【従来の技術】
従来の水道用コンセントＤ’は、
（１）図９、図１０、図１１（Ａ）に示すように、壁Ｗの裏面側に位置する間柱Ｐに対して直接取り付けられたり、
（２）図１１（Ｂ）に示すように、上記の場合より配管の位置が間柱Ｐからずれている場合、間柱Ｐに対して間接的に取り付けられて使用されるのが一般的である。なお、図１１（Ｂ）は、ハウジング１０１のハウジング本体１０３の背面部Ａを、間柱Ｐに固定されたブラケット１０４に取り付ける状態を示している。
【０００３】
そのため、水道用コンセントＤ’のハウジング本体１０３には、取り付けに用いるネジＮが挿通可能なように多数の挿通穴Ｈ，ｈが形成されている。図１０には、水栓本体１１０、ダイヤル型の流量調整ハンドル１１１、流量調整ハンドル１１１の回動操作を弁体に伝達するための伝達機構、更には、水栓本体１１０の流出口に固定される継手部１１２等の水栓部材が組み込まれたハウジング本体１０３を示す。
【０００４】
なお、図９、図１０は、ハウジング本体１０３の、正面から見て左の側壁を間柱Ｐに固定した場合を示し、図１１（Ａ）は、ハウジング本体１０３の左の側面部Ｂを間柱Ｐに固定するとともに、ハウジング本体１０３の上面部Ｃを他の間柱Ｐ’にネジ止めなどで固定した場合を示している。
【０００５】
また、図９は、ハウジング１０１の前面部１０２が壁Ｗの前面とほぼ面一となるように壁Ｗ内に水道用コンセントＤ’が配置された例を示す。前面部１０２は、ハウジング本体１０３の前面開口Ｓ’’を覆うようにハウジング本体１０３に装着される。ハウジング本体１０３は、ほぼ直方体形状で、上面部Ｃ、下面部Ｐ、背面部Ａ、右側面部Ｅ、左側面部Ｂより構成され、各面部Ｃ，Ｐ，Ａ，Ｅ，Ｂは鉄製あるいはＳＵＳ製の薄板状に形成されている。
【０００６】
更に、図９〜図１１において、ハウジング本体１０３の両側面部Ｂ，Ｅには、前後方向において自在に位置決め可能なはさみ板１０５がそれぞれ設けられており、前記はさみ板１０５と前記前面部１０２の枠体１０２ｂとで壁Ｗをはさみこむことが可能である。そのため、ハウジング本体１０３の両側面部Ｂ，Ｅには、はさみ板１０５を前後方向にスライド案内させる切欠部１０６ａが形成されている。
【０００７】
前記前面部１０２は、開口部Ｓ’が形成された前記枠体１０２ｂと、開口１０６，１０７が形成されている中央部１０２ａとからなり、この中央部１０２ａは前記枠体１０２ｂに開口部Ｓ’を介して着脱自在に装着される。開口１０６には流量調整ハンドル１１１が位置するとともに、開口１０７には継手部１１２が位置する。
【０００８】
【発明が解決しようとする課題】
ところで、水道用コンセントＤ’の施工作業において、配管１０９に接続しながら直方体形状のハウジング本体１０３をネジＮを用いて間柱Ｐ，Ｐ’に固定し、続いて、ハウジング本体１０３の前面開口Ｓ’’に合うよう矩形形状に形成した取付用開口Ｓを有する壁Ｗの表側の壁面Ｒに枠体１０２ｂの裏面部Ｑを当接させるとともに、前記はさみ板１０５を前後方向に移動させる長ネジ１０６ｂを調節しながら前記はさみ板１０５と枠体１０２ｂとで壁Ｗを挟み込んでいるので、施工作業が必ずしも容易ではなかった。
【０００９】
また、壁Ｗに取付用開口Ｓを形成するにあたり、前記取付用開口Ｓが矩形穴のため、短時間で穴開けできない問題があった。
【００１０】
この発明は上述の事柄に留意してなされたもので、その目的は、容易かつ短時間で施工できる水道用コンセントを提供することである。
【００１１】
【課題を解決するための手段】
上記目的を達成するために、この発明は、流入口、流出口および弁体を備えた水栓本体が設置された設置部を有し、壁または床あるいは取付用パネルに取付けられるハウジング本体と、このハウジング本体の前面を被覆するカバープレートと、前記流出口から送出可能な水の流量を調整する流量調整部材と、前記流入口を介して前記水栓本体と配管とを接続する接続部と、前記流出口に接続され、ホースの上流端に設けられた継手部材が着脱自在である継手部とを備え、
前記設置部は、前記壁または床あるいは取付用パネルを貫通して形成された丸穴に挿入可能な大きさを有し、
更に、前記ハウジング本体は、前記設置部が前記丸穴に挿入された状態で前記ハウジング本体を前記壁または床あるいは取付用パネルの前面側から取付けるための取付枠部を有する一方、
前記取付枠部は、前記設置部と一体に形成されており、
しかも取付枠部にハウジング本体固定用のねじ挿通孔を設けるとともに、
前記設置部を前記丸穴に挿入し、前記壁または床あるいは取付用パネルの前面における前記丸穴周縁部に、前記取付枠部の後面部を当接させた状態で、前記ねじ挿通孔に挿通され、前記壁または床あるいは取付用パネルに締付けることによって、前記ハウジング本体を前記壁または床あるいは取付用パネルの前面に取付けるねじを有する水道用コンセントであって、
前記丸穴の円弧形状に対応する形状を下面に有し、かつ前記ハウジング本体が前記設置部を介して前記丸穴に挿入されるときに前記下面が前記丸穴の下側内周面に摺接する形で前記ハウジング本体を案内する湾曲形状の案内片を、前記取付枠部の下辺部の中央で、前記設置部の背面部の側に突出して設けてあることを特徴としている。
この発明では、前記継手部は、前記カバープレートから前面側に突出しているとともに、前記流出口の中心軸のまわりに３６０°回転可能な状態で前記流出口に接続されているのが好ましく、また、前記設置部は、上方開口を有する上面部と、下方開口を有する下面部と、対称形状に形成された一対の湾曲面を有する左右側面部と、背面部とで構成され、前記左右側面部、前記上面部および前記下面部によって形成される前面開口を有するのが好ましい。
【００１２】
【発明の実施の形態】
以下、この発明の実施形態を、図を参照しながら説明する。
図１〜図８は、壁または床あるいは取付用パネル（ボード）に丸穴を形成し、この丸穴にハウジング本体の設置部を挿入してハウジング本体を前記壁または床あるいは取付用パネルの前面側から取付けるように構成したこの発明の一実施形態を示す。なお、この実施形態では、ハウジング本体を壁に取付けるものを採用しているが、床あるいは取付用パネルに丸穴を形成し、この丸穴にハウジング本体の設置部を挿入してハウジング本体を前記床あるいは取付用パネルの前面側から取付けるように構成してもよい。
【００１３】
図１〜図８において、１は、水道用コンセントで、そのハウジングは、壁２に取付けられる樹脂製のハウジング本体３と、このハウジング本体３の前面を被覆する樹脂製のカバープレート４とで構成される。前記壁２は、貫通して形成された丸穴１３を有する。この丸穴１３の直径をＲで示す。この丸穴１３はホールソー等の公知の丸穴開け装置で簡単に形成できる。
【００１４】
前記ハウジング本体３は、水栓本体５が設置される設置部６と、この設置部６と一体に形成されている取付枠部７よりなる。前記丸穴１３には設置部６が挿入される。また、前記取付枠部７の前枠面は、ハウジング本体３の前面を構成するもので、丸穴１３に設置部６が挿入された状態で前記取付枠部７を介して前記ハウジング本体３が前記壁２の前面２ａに取付けられる。
【００１５】
以下、設置部６について説明する。
【００１６】
前記設置部６は、平面視ほぼ六角形の上方開口６ａを有する上面部８と、平面視ほぼ四角形の下方開口６ｂを有する下面部９と、対称形状に形成された一対の湾曲面を有する左右側面部１０，１１と、背面部１２とで構成され、左右側面部１０，１１、上面部８および下面部９によって形成される前面開口１６〔図７（Ａ）参照〕を有する。
【００１７】
前記左右側面部１０，１１は、丸穴１３の直径Ｒよりもわずかに小さな外径Ａおよび内径Ｂ（＜Ａ＜Ｒ）を有する。すなわち、左右側面部１０，１１の内周面ｍ，ｎは、丸穴１３の直径Ｒより小さな内径Ｂを有し、中心角が例えば６０°の円弧面を形成している。なお、左右側面部１０，１１の厚みはＣである。
【００１８】
また、前記左右側面部１０，１１の前後方向の長さはＤである。
【００１９】
更に、前記設置部６は、ねじ２１によって水栓本体５を設置部６に設置するための一対の固定孔部２２，２３を有する。この水栓本体固定孔２２，２３は、左右対称位置に水栓本体５の設置片５ａ，５ｂの長さに対応する間隔を有して設置部６の背面部１２に突出状態で設けてある。前記固定孔部２２，２３には内周に雌ねじｑが形成された小径の円柱部材２２ａ，２３ａが背面部１２の後面Ｇ側から嵌め込まれており、前記雌ねじｑに前記ねじ２１が螺合する。
【００２０】
また、背面部１２は、固定孔部２２，２３間で上下方向に一対の当たり部２５，２６を突出状態で有する。この当たり部２５，２６は水栓本体５の後部に当接して水栓本体５の設置状態を安定なものにする機能を有する。
【００２１】
次に、取付枠部７について説明する。
【００２２】
前記取付枠部７は、設置部６の前記前面開口１６に連通する前面開口２０〔図７（Ａ）参照〕を形成する矩形の枠体形状に構成されている。すなわち、前記取付枠部７の左右方向の長さＥと上下方向の長さＦは丸穴１３の直径Ｒより長く設定されている。この実施形態では長さＥと長さＦは等しい。
【００２３】
また、前記前面開口２０は、内径Ｂの前記円弧面ｍ，ｎに対応する位置に前記円弧面ｍ，ｎよりも大きな内径Ａの円弧面Ｍ，Ｎを有する。
【００２４】
２９は、取付枠部７の四隅に設けたハウジング本体固定用のねじ挿通孔である。すなわち、前記設置部６を前記丸穴１３に挿入した状態で壁２の前面２ａにおける丸穴１３周縁部に、取付枠部７の後面部Ｈを当接させながら、ねじ挿通孔２９に挿通されたねじ３０を壁または床あるいは取付用パネル２に締付けることによって、ハウジング本体３を壁２に前面２ａに取付けることができる。
【００２５】
すなわち、ホールソー等の公知の丸穴開け装置で丸穴１３を壁２に簡単に穴開けできるとともに、ハウジング本体３を壁２の前面２ａよりねじ３０止めで施工できるので、従来のように間柱Ｐにねじ止めしてから壁Ｗをハウジング本体１０３に設けたはさみ板１０５とハウジング本体前面に設けた前面部１０２の枠体１０２ｂとで挟み込むといった壁Ｗの後面側からの施工作業をなくすことができる。
【００２６】
また、取付枠部７は、左辺部７ｂ、右辺部７ｃに、左右二対の係合孔３１，３１、３２，３２を有する。この係合孔３１，３１、３２，３２は、カバープレート４の裏面に設けた係合爪（図示せず）に係合するよう構成されている。
【００２７】
更に、３４は、丸穴１３の円弧形状に対応する形状を下面３４ａに有する湾曲形状の案内片で、ハウジング本体３が前記設置部６を介して前記丸穴１３に挿入されるときに前記下面３４ａが丸穴１３の下側内周面１３ａに摺接する形でハウジング本体３を案内する機能を持つ。案内片３４は、取付枠部７の下辺部７ａの中央で、背面部１２の側に突出して設けられている。
【００２８】
ところで、水道用コンセント１は、図１に示すように、水栓本体５の流出口５ａから送出可能な水の流量を調整する流量調整部材３５と、この流量調整部材３５の開閉操作を水栓本体５の弁体５ｂに伝達するための伝達機構３９と、洗濯機、浄水器、食器洗い機、湯沸器などの機器の給水ホース（図示せず）の上流端に設けられた継手部材（図示せず）が着脱自在である継手部３６とを有する。継手部３６は前記流出口５ａの中心軸Ｘのまわりに３６０°回転可能な状態で前記流出口５ａに接続されている。
【００２９】
次に、カバープレート４と前記伝達機構３９を含む流量調整部材３５の開閉操作の機構について説明する。
【００３０】
前記カバープレート４は流量調整部材３５および継手部３６がそれぞれ配置される二つの開口３７，３８を中央部における上下位置に有する。前記開口３７は、正面視横長の長方形である。
【００３１】
前記流量調整部材３５は、操作爪４０とカイド片４１と連結片４２よりなる。また、伝達機構３９は、弁体５ｂの可動ディスク５ｄに嵌合係止される下面部を有する弁棒４４と、この弁棒４４に設けられ、弁棒４４と共に弁棒４４の軸心Ｙのまわりに回動する回動片４５とよりなる。そして、回動片４５は、連結片４２に連動可能に連結されている。４７，４７は、カバープレート４の背面の上下に設けた一対の案内レールである。この案内レール４７，４７間に前記カイド片４１を差し込むことでカイド片４１が、カバープレート４の横方向（両矢印Ｚで示す方向）〔図１（Ａ）参照〕に一次元移動することが可能である。
【００３２】
すなわち、前記流量調整部材３５の開閉操作が一次元操作可能に構成される。これにより、ハウジング本体３内の収容空間を小型化できるとともに、ハウジング本体３の壁２からの前出しの長さＩを小さくでき、ひいてはカバープレート４からの操作爪４０の前出しも小さくできて薄型の水道用コンセント１を提供できる。
【００３３】
次に、水栓本体５の流入口５ｅと、水または湯（以下単に水という）を供給するための配管４９とを接続する機構について説明する。
【００３４】
図２、図８（Ａ）、図８（Ｂ）において、前記配管４９は、例えば樹脂製の可撓管で、その外側面を例えばステンレス製の網体によって耐圧保護されてなる。５０は、配管４９の下流端に連通連結された中継管である。また、５１は、配管４９の下流端に嵌合される金属からなるリングで、中継管５０の上流端に配管４９を挿入した状態でこのリング５１をかしめることにより、中継管５０と配管４９との接続を強固にしている。
【００３５】
前記中継管５０は、例えば真鍮からなるパイプ材を例えばプレス加工することにより形成されている。前記中継管５０は、上流端の外周に配管４９の抜け止め用の波状部分（図示せず）を有するとともに、下流側の端部に外向きフランジ５３を有する。
【００３６】
一方、中継管５０に連通連結される配管４９の最上流部は逆止弁部５６を構成している。５６ａは、逆止弁部５６に形成された接続部分で、外周に二つのＯリング５７，５７を有する。更に、接続部分５６ａは、Ｏリング５７，５７の位置よりも下流側に外向きフランジ５３に当接する外向きフランジ５８を有する。
【００３７】
６０は、クリップ（簡易着脱部材の一例で、一枚の帯状の金属部材を折曲形成してなる。クリップ６０は、挿通部６１と、開口部６２と、一対の横長孔６３，６３を有し、全体として弾性を有する。６４，６４は、クリップ６０の開口端である。
【００３８】
而して、水栓本体５と配管４９の接続にあたっては、前記フランジ５３，５８同士を当接させた状態でクリップ６０を前記フランジ５３，５８を挟み込むように挿入することにより水栓本体５に対して配管４９が抜け止め保持される。すなわち、クリップ６０を用いたので、水栓本体５と配管４９の接続を容易にできる。
【００３９】
そして、前記中継管５０と逆止弁部５６とで水栓本体５と配管４９を接続する接続部が構成される。
【００４０】
【発明の効果】
この発明では、壁または床あるいは取付用パネルに丸穴を設け、設置部が前記丸穴に挿入された状態で前記ハウジング本体を前記壁または床あるいは取付用パネルの前面側から取付けるように構成してあるので、従来のように間柱にねじ止めしてから取付け用の壁をハウジング本体に設けたはさみ板とハウジング本体前面に設けた前面部の枠体とで挟み込むといった壁または床あるいは取付用パネルの後面側からの施工作業をなくすことができ、また、前記丸穴は、ホールソー等の公知の丸穴開け装置を用いて壁または床あるいは取付用パネルに簡単に穴開けできるので、取り付け作業の容易な水道用コンセントを提供することができる。
【図面の簡単な説明】
【図１】  （Ａ）は、この発明の一実施形態を示す正面図である。
（Ｂ）は、上記実施形態において、カバープレートを取り外した状態を示す正面図である。
【図２】  上記実施形態を示す全体構成説明図である。
【図３】  上記実施形態で用いたハウジング本体を正面側からみた斜視図である。
【図４】  上記実施形態で用いたハウジング本体を示す構成説明図である。
【図５】  （Ａ）は、上記実施形態で用いたハウジング本体を示す平面図である。
（Ｂ）は、上記実施形態で用いたハウジング本体を示す背面図である。
【図６】  上記実施形態で用いたハウジング本体を背面側からみた斜視図である。
【図７】  （Ａ）は、上記実施形態で用いたハウジング本体を示す横断面図である。
（Ｂ）は、上記実施形態で用いたハウジング本体を示す正面図である。
【図８】  （Ａ）は、上記実施形態における配管と接続部との接続状態を示す図である。
（Ｂ）は、上記実施形態における配管と接続部との接続前の状態を示す図である。
【図９】  従来例の取り付け状態を示す構成説明図である。
【図１０】  従来例の取り付け状態を示す分解斜視図である。
【図１１】  （Ａ）は、従来例の取り付け前の状態を示す要部分解斜視図である。
（Ｂ）は、従来例の別の取り付け前の状態を示す要部分解斜視図である。
【符号の説明】
１…水道用コンセント、２…壁または床あるいは取付用パネル、２ａ…壁または床あるいは取付用パネルの前面、３…ハウジング本体、４…カバープレート、５…水栓本体、５ａ…流出口、５ｂ…弁体、６…設置部、６ａ…上方開口、６ｂ…下方開口、７…取付枠部、７ａ…取付枠部の下辺部、８…上面部、９…下面部、１０，１１…一対の湾曲面を有する左右側面部、１２…設置部の背面部、１３…丸穴、１３ａ…丸穴の下側内周面、１６…前面開口、３４…湾曲形状の案内片、３４ａ…下面、３５…流量調整部材、３６…継手部、３９…伝達機構、４９…配管、５０，５６…接続部。
【図１】
0004491176.tif 000002
【図２】
0004491176.tif 000003
【図３】
0004491176.tif 000004
【図４】
0004491176.tif 000005
【図５】
0004491176.tif 000006
【図６】
0004491176.tif 000007
【図７】
0004491176.tif 000008
【図８】
0004491176.tif 000009
【図９】
0004491176.tif 000010
【図１０】
0004491176.tif 000011
【図１１】
0004491176.tif 000012